(57)【要約】換気装置（５）は、室内（１）と室外（２）とを連通させる風路の室内側の壁（３）に配置され、換気ルーバー（１３）を有する。換気ルーバーは、ルーバー枠（１４）と可動ルーバー（１５）とで構成され、可動ルーバーの重心位置から室内側の壁までの水平距離（Ｌ１）が、可動ルーバー軸（１９）から室内側の壁までの水平距離（Ｌ２）より大きい。ルーバー枠の下部には、ルーバー枠下部の端面に沿って左右運動可能な操作ロッド（２５）が取り付けられる。可動ルーバーとルーバー枠との間には、可動ルーバーと操作ロッドとを接続する接続部品（２１，２１’）が設けられ、接続部品が上下方向へ摺動する構造である。接続部品は、操作ロッドの左右運動を、可動ルーバーの可動ルーバー軸回りの開閉運動に変換する。
2014522955.tif 000002
【特許請求の範囲】
【請求項１】
室内と室外とを連通させる風路の室内側の壁に位置し、換気ルーバーが取り付けられる換気装置であって、
前記換気ルーバーは、換気装置本体の前面開口に取り付けられるルーバー枠と、前記ルーバー枠の下部の可動ルーバー軸に支持されてルーバー枠の前面を被覆する可動ルーバーとで構成され、前記可動ルーバーの重心位置から前記室内側の壁までの水平距離は、可動ルーバー軸から前記室内側の壁までの水平距離より大きく、
前記ルーバー枠の下部には、ルーバー枠下部の端面に沿って左右運動可能な操作ロッドが取り付けられ、
前記可動ルーバーとルーバー枠との間には、前記可動ルーバーと前記操作ロッドとを接続する接続部品が設けられ、前記接続部品が上下方向へ摺動する構造であり、前記接続部品が、前記操作ロッドの左右運動を前記可動ルーバーの可動ルーバー軸回りの開閉運動に変換する、ことを特徴とする換気装置。
【請求項２】
前記操作ロッドは、ルーバー枠開口部に対向する下部の端面には水平方向の溝が設けられ、対応のルーバー枠開口部端面の水平方向には突片が設けられ、前記溝が突片に係合し、突片が溝内水平方向において左右運動可能である、ことを特徴とする請求項１に記載の換気装置。
【請求項３】
前記操作ロッドにはルーバー枠下方の開口部へ突出して下向きに室内側に伸びるノブが設けられる、ことを特徴とする請求項１に記載の換気装置。
【請求項４】
前記接続部品は傾斜した操作ロッドガイド溝を有し、前記操作ロッドには、前記操作ロッドガイド溝に嵌合する操作ロッド突起が設けられ、前記操作ロッド突起は操作ロッドガイド溝内において摺動可能であり、操作ロッドが左右運動する場合、前記接続部品は上下方向へ運動する、ことを特徴とする請求項１に記載の換気装置。
【請求項５】
前記操作ロッド突起が円柱形又は長尺形である、ことを特徴とする請求項４に記載の換気装置。
【請求項６】
前記接続部品がＵ型であり、前記操作ロッドガイド溝が、接続部品のＵ型の水平方向の中央部位に配置される、ことを特徴とする請求項４に記載の換気装置。
【請求項７】
前記操作ロッドガイド溝の上端と下端には、操作ロッド突起部を固定するための水平の接続部品支持部が設けられる、ことを特徴とする請求項４に記載の換気装置。
【請求項８】
前記可動ルーバーの裏面には、側面に沿って立設された回動ガイド板が設けられ、前記回動ガイド板には、傾斜した回動ガイド溝が設けられ、
前記接続部品のＵ型の垂直方向の先端には突起部が設けられ、前記可動ルーバーの両側の中部の位置において、前記接続部品の突起部は前記回動ガイド溝に嵌合するとともに、回動ガイド溝中において摺動可能であり、
接続部品が上下運動するとき、前記回動ガイド板は前後方向へ運動する、ことを特徴とする請求項１に記載の換気装置。
【請求項９】
前記回動ガイド溝は、少なくとも２つの傾斜度を有する溝から構成され、水平面に対して、前記回動ガイド溝における傾斜度の小さい溝が裏面側に配置され、前記回動ガイド溝における傾斜度の大きい溝が前面側に配置される、ことを特徴とする請求項８に記載の換気装置。
【請求項１０】
前記回動ガイド溝がアーチ形の溝であることを特徴とする請求項８に記載の換気装置。
【請求項１１】
前記可動ルーバーの内面には断熱材が配置される、ことを特徴とする請求項１に記載の換気装置。
【請求項１２】
前記可動ルーバーの上辺外枠及び左右両側外枠の縁には二重突筋が配置され、前記二重突筋の間には空隙を有する、ことを特徴とする請求項１１に記載の換気装置。
【請求項１３】
前記空隙には、内突筋と外突筋とを接続する凸筋が設けられ、内突筋及び外突筋と凸筋の間には蓄水溝が形成される、ことを特徴とする請求項１２に記載の換気装置。
【請求項１４】
前記換気装置本体には、換気装置本体に係合して換気装置本体の前面開口を覆う形状を形成するろ過網ブラケットが設けられ、前記ルーバー枠の内側には、前記ろ過網ブラケットと換気装置本体との間の隙間を被覆する封止スポンジがさらに設けられる、ことを特徴とする請求項１に記載の換気装置。
【請求項１５】
前記換気装置本体には導風構造が設けられ、前記導風構造は、前記換気装置本体と前記ろ過網ブラケットとが係合する係合箇所に位置し、該導風構造により、冷気を導風構造に沿って換気装置本体に覆われる壁に吹かせる、ことを特徴とする請求項１４に記載の換気装置。
【発明の詳細な説明】
【技術分野】
【０００１】
本発明は換気装置に関する。
【背景技術】
【０００２】
公知技術としては、従来の換気装置が駆動機によって化粧パネルの開閉動作を制御する技術がある。例えば、ＪＰ特開２０００−３４６４１１号公報に開示の換気装置が挙げられる。図１３及び図１４を参照しながら、この従来の換気装置を以下の通り説明する。
【０００３】
図示のように、着脱自由な化粧パネル１０３を設けた換気装置において、前記化粧パネル１０３は、送風機１０１を内設した風洞を有する本体枠１０２の吸気口側の前面に対して着脱自由であり、本体枠１０２前面を形成するラッパ口状の吸気口１０６から本体枠１０２の後面の排気口に向けて換気流を形成する。化粧パネル１０３は、前面の開放したパネル枠部１０７において、パネル枠部１０７の下端側において軸支されるとともに、駆動手段によって回動し、パネル枠部１０７の外周部において、略扇形の通風空間１０８を形成する可動ルーバー部１０９により構成される。
【０００４】
パネル枠部１０７は、本体枠１０２の円周側に嵌合する突起部１１０に接続される前面部を有し、この突起部１１０は、可動ルーバー部１０９の軸支側である下部よりも高く形成され、反軸支側である上部は、高さが漸減する円弧状を形成する。パネル枠部１０７の前面部の下縁部１１１は、前方へ突出する一部を有し、それによって形成される段差部１１２には、可動ルーバー部１０９を軸支するスリット状の挿入口１１３が間隔をもって下向きに形成される。且つ、可動ルーバー部１０９の下端縁には、パネル枠部１０７の挿入口１１３の回動にフィットする支持突縁１８が突出して形成される。この支持突縁１１８を挿入口１１３に差込むことにより、支持突縁１１８を支点として可動ルーバー部１０９は回動可能に軸支される。
【０００５】
可動ルーバー部１０９の裏面とパネル枠部１０７の前面との間には弾性部材としてのバネ１２１が掛け渡され、このバネ１２１によって可動ルーバー部１０９はパネル枠部１０７の前面部と密着状態を形成する。駆動手段は、駆動機１２２と、伝達機構と、クランク１２３とにより構成される。駆動機１２２はパネル枠部１０７の下部一側寄りに取付けられ、伝達機構を構成するワイヤ１２４を巻き取り、また繰り出すことができる。クランク１２３は略Ｍ型に形成され、パネル枠部１０７の前面開放部の中央直下に両端が支持構造１２５により回動可能に支持される。
【０００６】
且つ、駆動機１２２はワイヤ１２４を巻き取ってクランク１２３を回動させ、可動ルーバー部１０９の裏面を押圧し、バネ１２１の弾力に抗して可動ルーバー部１０９を回動させて開かせる。
【先行技術文献】
【特許文献】
【０００７】
【特許文献１】特開２０００−３４６４１１号公報
【発明の概要】
【発明が解決しようとする課題】
【０００８】
このような従来の換気装置は、可動ルーバーを開閉するための駆動機とバネとクランクとにより構成される駆動手段を必要とし、構造が複雑である問題を有する。
【０００９】
また、室内外の温度差が大きく、換気装置が長時間に動作する場合、換気装置は室外の冷気を吸い込み、換気装置主体の温度を低下させる。室内の熱気は可動ルーバー部１０９の外面に接触すると、冷えて水滴に凝集して結露水を形成する。結露水は平滑な可動ルーバー部１０９に沿って滑り、室内に滴下する。室内に滴下した結露水は環境衛生に影響を及ぼし、室内のじっとり感やカビの発生をきたす。
【００１０】
前記従来技術の問題を解決するために、本発明の主な目的は、簡単な構造によって可動ルーバーを開閉することのできる換気装置を提供することである。
【００１１】
本発明の第二の目的は、換気ルーバーの外面の乾燥を保持する換気装置を提供することである。
【課題を解決するための手段】
【００１２】
前記目的を達成するために、本発明は、室内と室外とを連通させる風路の室内側の壁に位置し、換気ルーバーが取り付けられる換気装置を提供する。前記換気ルーバーは、換気装置本体の前面開口に取り付けられるルーバー枠と、前記ルーバー枠の下部の可動ルーバー軸に支持されてルーバー枠の前面を被覆する可動ルーバーとで構成され、前記可動ルーバーの重心位置から前記室内側の壁までの水平距離は、可動ルーバー軸から前記室内側の壁までの水平距離より大きく、前記ルーバー枠の下部には、ルーバー枠下部の端面に沿って左右運動可能な操作ロッドが取り付けられ、前記可動ルーバーとルーバー枠との間には、前記可動ルーバーと前記操作ロッドとを接続する接続部品が設けられ、前記接続部品が上下方向へ摺動する構造であり、前記接続部品が、前記操作ロッドの左右運動を前記可動ルーバーの可動ルーバー軸回りの開閉運動に変換する。
【００１３】
この構造によると、前記操作ロッドの左右摺動は接続部品の上下摺動を動かし、可動ルーバー軸を回動させて可動ルーバーを開閉する。操作ロッドと接続部品が停止すると、可動ルーバーは任意の位置に保持されることができる。したがって、複雑な駆動構造を必要とせず、簡単な構造によって可動ルーバーを開閉することができるとともに、換気装置の下部から、操作ロッドを介して、高いところに配置される換気装置ルーバーを開閉操作することができる。
【００１４】
また、前記接続部品は上下方向へ摺動する構造である。この構造によると、接続部品を薄く配置し、ルーバー枠の厚みをより薄く配置することにより、外観性を向上させることができる。
【００１５】
前記操作ロッドは、ルーバー枠開口部に対向する下部の端面には水平方向の溝が設けられ、対応のルーバー枠開口部端面の水平方向には突片が設けられ、前記溝が突片に係合し、突片が溝内水平方向において左右運動可能である。前記操作ロッドにはルーバー枠下方の開口部へ突出して下向きに室内側に伸びるノブが設けられる。
【００１６】
前記可動ルーバーの裏面には、側面に沿って立設された回動ガイド板が設けられ、前記回動ガイド板には、傾斜した回動ガイド溝が設けられる。前記接続部品のＵ型の垂直方向の先端には突起部が設けられ、前記可動ルーバーの両側の中部の位置において、前記接続部品の突起部は前記回動ガイド溝に嵌合するとともに、回動ガイド溝中において摺動可能である。接続部品が上下運動するとき、前記回動ガイド板は前後方向へ運動する。この構造によると、可動ルーバーの側面の上下中心付近に、接続部品を介して可動ルーバーを引張り、引張り力を減少することができる。また、接続部品を介して可動ルーバーの左右両方向から可動ルーバーを引張ることができるため、可動ルーバーは左右に傾斜しにくい。前記ルーバー枠と可動ルーバーとは密着するか、一定の間隙を保持して均等に開くことができる。且つ、引張り力は可動ルーバー上に均一に伝達されるため、可動ルーバーを順調に開閉することができる。
【００１７】
前記接続部品は傾斜した操作ロッドガイド溝を有し、前記操作ロッドには、前記操作ロッドガイド溝に嵌合する操作ロッド突起が設けられ、前記操作ロッド突起は操作ロッドガイド溝内において摺動可能であり、操作ロッドが左右運動する場合、前記接続部品は上下方向へ運動する。前記操作ロッド突起が円柱形又は長尺形である。この構造によると、接続部品は操作ロッド突起の上部によって可動領域の最上部に押され、操作ロッド突起の下部によって可動領域の最下部に押される。したがって、接続部品の上下可動領域は大きくなる。可動領域を維持するとともに、接続部品の高さを低く配置し、ルーバー枠に配置される通風用の開口を大きくすることにより、通風圧力損失を低減させることができる。
【００１８】
前記回動ガイド板の回動ガイド溝は、１つ若しくは少なくとも２つの傾斜度を有する溝、又はアーチ形の溝から構成される。少なくとも２つの傾斜度を有する溝から構成される場合、水平面に対して、前記回動ガイド溝における傾斜度の小さい溝は裏面側に配置され、前記回動ガイド溝における傾斜度の大きい溝は前面側に配置される。この構造によると、可動ルーバーに向かう回動ガイド溝へ付加される力の作用方向が、上下移動する接続部品に配置される接続突起の位置によって変化することにより、可動ルーバーを順調に開閉することができる。
【００１９】
また、前記接続部品はＵ型であり、前記操作ロッドガイド溝は、接続部品のＵ型の水平方向の中央部位に配置される。この構造によると、力が、操作ロッドに配置される操作ロッド突起から接続部品の中央付近に伝達されるため、可動ルーバーの左右両側に設けられて接続部品に係合する係合部は、接続部品を介して均一に引張られる。したがって、可動ルーバーは左右に傾斜しにくい。前記ルーバー枠と可動ルーバーとは密着するため、一定の間隙を保持して均等に開くことができる。且つ、引張り力は可動ルーバーに均一に伝達されるため、可動ルーバーを順調に開閉することができる。
【００２０】
また、接続部品の操作ロッドガイド溝の上端と下端には、操作ロッド突起部を固定するための水平の接続部品支持部が設けられる。この構造によると、接続部品が固定可能であるため、可動ルーバーを開状態又は閉状態に固定することができる。
【００２１】
前記可動ルーバーの内面には断熱材が配置される。
【００２２】
前記可動ルーバーの上辺外枠及び左右両側外枠の縁には二重突筋が配置され、前記二重突筋の間には空隙を有する。
【００２３】
前記空隙には、内突筋と外突筋とを接続する凸筋が設けられ、内突筋及び外突筋と凸筋の間には蓄水溝が形成される。
【００２４】
前記換気装置本体には、換気装置本体に係合して換気装置本体の前面開口を覆う形状を形成するろ過網ブラケットが設けられ、前記ルーバー枠の内側には、前記ろ過網ブラケットと換気装置本体との間の隙間を被覆する封止スポンジがさらに設けられる。
【００２５】
前記換気装置本体には導風構造が設けられ、前記導風構造は、前記換気装置本体と前記ろ過網ブラケットとが係合する係合箇所に位置し、該導風構造により、冷気を導風構造に沿って換気装置本体に覆われる壁に吹かせる。
【発明の効果】
【００２６】
本発明による換気装置は、簡単な構造によって可動ルーバーを開閉することができるとともに、下部から、操作ロッドを介して、高いところに配置されるルーバーを開閉操作することができ、且つ換気ルーバーの外面の乾燥を常に保持可能であるメリットを有する。
【図面の簡単な説明】
【００２７】
【図１】換気装置の可動ルーバー閉状態の全体的断面図である。
【図２】換気ルーバーの内側から示した分解図である。
【図３】換気ルーバーの内側から示した別角度の分解図である。
【図４】換気ルーバーの接続部品及び操作ロッドを取り付けた後の正面図である。
【図５】換気装置の可動ルーバー開状態の断面図である。
【図６】換気装置の操作ロッドの運動模式図である。
【図７】換気ルーバーの内側から示した閉状態の斜視図である。
【図８】換気ルーバーの内側から示した開状態の斜視図である。
【図９】可動ルーバーの内側から示した分解斜視図である。
【図１０】（ａ）、（ｂ）は接続部品、操作ロッド突起の異なる形状の模式図である。
【図１１】図１２のＡ−Ａ方向断面図である。
【図１２】換気装置の全体的模式図である。
【図１３】従来の換気装置の可動ルーバー開状態の断面図である。
【図１４】従来の換気装置の正面図である。
【発明を実施するための形態】
【００２８】
以下、図面を参照しながら本発明の実施の形態を説明する。
【００２９】
図１、図２及び図１２に示すように、室内１と室外２とを仕切る壁３には、壁３に連通する貫通孔４が設けられて通風路を形成し、換気装置本体５は前記貫通孔４に取り付けられる。この換気装置本体５は、円筒状の風洞部６と本体フランジ部７とにより構成される。風洞部６にはモータ支持部８が内設され、モータ９はこのモータ支持部８に取り付けられ、そのモータ軸１０には、室外から室内へ送風するファンブレード１１が設けられる。一方、本体フランジ部７は風洞部６の室内１側の開口部の開口縁部から、半径方向に向かって略正方形に伸び出して形成されたものであり、裏面側に向かって突出する突起部１２を設けている。
【００３０】
換気ルーバー１３は、換気装置本体５に取り付けられて前面開口を設けたルーバー枠１４と、このルーバー枠１４の下部において可動ルーバー軸に支持されてルーバー枠１４の前面を被覆する可動ルーバー１５とで構成される。ルーバー枠１４は、換気装置本体５の突起部１２に嵌合する。
【００３１】
ルーバー枠１４の上部側壁１６の突起寸法は、ルーバー枠１４の下部側壁１７の突起寸法より大きい。ルーバー枠１４の前面には、ルーバー枠開口部１８が設けられる。ルーバー枠１４の下部は、壁３に平行な水平可動ルーバー軸１９を形成すると共に、可動ルーバー１５を軸支する。
【００３２】
可動ルーバー１５は下方へ向かうほど壁３側に近く、略円弧状の断面形状を形成する。可動ルーバー１５はルーバー枠１４の前面を被覆する。可動ルーバー１５の重心位置Ｗ１から室内側の壁３表面までの水平距離Ｌ１は、可動ルーバー軸１９から室内側の壁３表面までの水平距離Ｌ２より大きい。
【００３３】
また、ルーバー枠１４の下部の内方には、上下方向に摺動可能なＵ型接続部品２１と、接続部品２１を被覆する接続部品蓋２９とが取り付けられる。接続部品蓋２９はルーバー枠１４に嵌入し、接続部品２１は、ルーバー枠１４と接続部品蓋２９とで形成される空洞内において運動する。即ち、接続部品蓋２９は、この形成される空間内における接続部品２１の運動を制限する作用を有する。ルーバー枠１４の下部には、接続部品２１に係合する左右摺動可能な操作ロッド２５がさらに取り付けられ、この操作ロッド２５は、ルーバー枠１４の下方から室内１へガイドされる。
【００３４】
以下、図２〜図６を参照して換気ルーバー１３をさらに説明する。なお、図２〜図６において、図１と同じの構成要素について同一の符号を使用し、詳しい説明を省略する。図２、３における破線は、接続部品２１とルーバー枠１４、操作ロッド突起２６の取付関係を示すためのものである。
【００３５】
可動ルーバー１５の裏面側には、可動ルーバー軸１９に嵌合して可動ルーバー１５を軸支する爪２０が設けられる。ルーバー枠１４のルーバー枠開口部１８の左右にはスリット３０が形成され、このスリット３０には、可動ルーバー１５に形成される左右の回動ガイド板３１ａ、回動ガイド板３１ｂを挿入することができる。
【００３６】
この回動ガイド板３１ａ、３１ｂには、溝の下端から上端に向かって可動ルーバー１５を離れる形状を有する回動ガイド溝３２が形成される。接続部品２１のＵ型の垂直方向の先端に形成される接続突起２２は、回動ガイド溝３２に係合する。且つ、図２の垂直方向に対して、接続部品２１のＵ型の水平方向には、右方向（即ち、図２において、下端に比べて、上端は右側にある。）へ一定角度で傾斜した操作ロッドガイド溝２３が形成される。且つ、操作ロッド２５に形成される操作ロッド突起２６は、操作ロッドガイド溝２３に係合する。
【００３７】
以下、操作ロッド２５の動作を説明する。図２、図３に示すように、操作ロッド２５のノブはルーバー枠１４下方の開口部へ突出して下向きに室内側に伸びるように配置される。且つ、この操作ロッド２５の換気ルーバー１３に対向する面には、水平方向の溝４２が設けられ、ルーバー枠開口部１８端面の水平方向には突片４３が設けられ、前記溝４２は突片４３に係合し、且つ突片４３は溝４２内の水平方向において左右運動することができる。図６において、操作ロッド２５が右側へ移動する場合、操作ロッド突起２６は操作ロッドガイド溝２３に沿って上端へ移動する。接続部品２１は上下摺動可能な構造である。操作ロッド突起２６が操作ロッドガイド溝２３に沿って移動する場合、その傾斜度によって下側へ押圧するため、接続部品２１は下側へ移動する。
【００３８】
接続部品２１に設けられる接続突起２２が回動ガイド溝３２に係合するため、接続部品２１の上下移動は可動ルーバー１５の開閉に変換される。具体的には、図５〜図８に示すように、接続部品２１が下方へ移動する場合、接続部品２１に設けられる接続突起２２は、回動ガイド板３１ａ、３１ｂに設けられる回動ガイド溝３２に沿って下側へ移動する。図７に示すように、回動ガイド溝３２の下端側が壁３側を離れるように配置されるため、この接続突起２２の下方への移動に従って、回動ガイド溝３２の壁３の方向への運動を強制して、可動ルーバー１５は接続部品２１側に近づく、即ち可動ルーバー１５を閉める方向へ回動する。
【００３９】
また、操作ロッド２５が図６に示す位置から左方向へ移動する場合、操作ロッド突起２６と接続部品の操作ロッドガイド溝２３とが係合して移動することにより、図８に示すように、接続部品２１は上方へ移動し、可動ルーバー１５は開く。
【００４０】
このように、可動ルーバー１５は軸支部としての可動ルーバー軸１９を中心とし、上部が前方へ傾いて開く構造である。簡単に言えば、接続部品２１が上方へ移動する場合、可動ルーバー１５は開く。逆に、接続部品２１が下方へ移動する場合、可動ルーバー１５は閉める。
【００４１】
また、前記構造における左右両側に回動ガイド板３１ａ、３１ｂを設けることにより、左右から可動ルーバー１５を引いても、可動ルーバー１５は左右へ傾斜しにくい。
【００４２】
接続部品２１に設けられる接続突起２２と、可動ルーバー１５に設けられる回動ガイド溝３２の下部とを可動ルーバー１５の近くに形成することにより、接続部品蓋２９と壁３との間の空間を確保することができる。換気ルーバー１３は最後に換気装置本体５に係合し、且つ換気装置本体５の本体フランジ部７はルーバー枠１４内に嵌入するので、接続部品蓋２９と壁３との間に一定の空間を設けることにより、換気装置本体５の本体フランジ部７を係入しやすくする。つまり、下部側壁１７の形状をより薄く配置することにより、外観性を向上させることができる。
【００４３】
図６において、操作ロッド突起２６は円柱形であるが、本発明の操作ロッド突起２６はさらに他の形状を有してもよい。図９、図１０（ｂ）に示すように、操作ロッド突起２６’は操作ロッドガイド溝２３に対応する長尺形であり、その上部及び下部が半円形に配置されてもよい。操作ロッド突起２６’は上部突起部２７と下部突起部２８とにより形成される。
【００４４】
図１０（ａ）に示す操作ロッド突起２６は図６におけるそれと同じものである。この図から分かるように、操作ロッド突起２６の左右移動は接続部品２１の上下移動を促進する。図中に示すＬ３のように、接続部品２１の移動の最大範囲は、操作ロッド突起２６が操作ロッドガイド溝２３から脱落しないことを確保するように制限される。
【００４５】
しかしながら、図１０（ｂ）に示すように、操作ロッド突起２６’が長尺形であるため、その一部がさえ操作ロッドガイド溝２３から脱落しなければ、操作ロッド突起２６’は脱落しない。したがって、接続部品２１’は上部突起部２７によってより高い位置に押されることもでき、下部突起部２８によってより低い位置に押されることもできる。即ち、接続部品２１’の可動領域Ｌ４は大きくなった。したがって、図６に示すものに比べて、同様な可動領域を維持する場合、接続部品２１’の縦方向の高さを制御してそれを低く配置することができる。ルーバー枠１４に配置される通風用のルーバー枠開口部１８を大きくすることにより、通風圧力損失を低減させることができる。操作ロッド２５の水平方向の移動は、操作ロッドガイド溝２３によって接続部品２１の上下方向の移動に変換される。
【００４６】
また、図９に示すように、回動ガイド板３１ａ、３１ｂに設けられる回動ガイド溝３２は、異なる傾斜度を有する上部ガイド溝３３と下部ガイド溝３４とが接続してなるものである。即ち、水平方向に対して、上部ガイド溝３３の傾斜度は小さく、下部ガイド溝３４の傾斜度は大きい。上部ガイド溝３３と下部ガイド溝３４の間は円弧にて連結される。前記接続部品２１に設けられる接続突起２２は、この回動ガイド溝３２に嵌合する。
【００４７】
前記構造によると、操作ロッド２５を介して可動ルーバー１５を閉めようとするとき、接続部品２１は下降する。且つ、接続突起２２が下部ガイド溝３４に係合するとき、接続突起２２が上部ガイド溝３３に係合する状態に比べて、可動ルーバー１５の回動距離は接続部品２１の下降距離に対して小さくなる。しかしながら、接続突起２２から回動ガイド溝３２への作用力は、可動ルーバー１５の閉方向へ付加されることにより、可動ルーバー１５に接着される断熱材３５を開口部縁３６に密着させ、その気密性を向上させる。
【００４８】
逆に、可動ルーバー１５を開こうとする場合、操作ロッド２５に対する操作により、接続部品２１は上方へ移動する。且つ、接続突起２２は上部ガイド溝３３内に位置する。このように、上部ガイド溝３３の角度が可動ルーバー１５の開方向に対して小さくなるため、可動ルーバー１５はその自重によって開方向へ順調に移動することができる。
【００４９】
また、この実施形態において、回動ガイド溝３２は、２つの傾斜度を有する溝から構成される。水平面に対して、前記回動ガイド溝３２における傾斜度の小さい溝は裏面側に配置され、前記回動ガイド溝３２における傾斜度の大きい溝は前面側に配置される。回動ガイド溝３２は、３つ以上の傾斜度を有するように配置されてもよく、アーチ形であってもよい。
【００５０】
また、図９に示すように、接続部品２１の水平方向の略中央部には、操作ロッドガイド溝２３が設けられる。且つ、操作ロッド突起２６と操作ロッドガイド溝２３とは、可動ルーバー１５の中央付近の位置において係合する。このような構造によると、力が、操作ロッド２５に設けられる操作ロッド突起２６から接続部品２１の略中央に伝達されるため、可動ルーバー１５の左右両方向に設けられて接続部品２１に係合する係合部は、接続部品２１を介して均一に引張られる。したがって、可動ルーバー１５は左右に傾斜しにくい。前記ルーバー枠１４と可動ルーバー１５とは密着するか、一定の間隙を保持して均等に開くことができる。且つ、引張り力は可動ルーバー１５に均一に伝達されるため、可動ルーバー１５を順調に開閉することができる。
【００５１】
また、図６に示すように、接続部品２１に形成される操作ロッドガイド溝２３の上端と下端には、水平な溝である接続部品支持部２４が設けられる。この接続部品支持部２４には、操作ロッド２５の操作ロッド突起２６が摺入することができる。この構造によって、操作ロッド２５が図示の位置から右方向へ移動すれば、接続部品２１と操作ロッド突起２６とは接続して下部へ移動し、且つ操作ロッド２５がさらに右方向へ移動すれば、操作ロッド突起２６は接続部品支持部２４内に係入する。この位置において、接続部品２１は上下方向へ運動することができない。接続部品２１はこの位置に固定されるため、可動ルーバー１５を固定することができる。
【００５２】
なお、回動ガイド溝３２は「溝」のような表現を用いたが、接続部品２１に設けられる接続突起２２に嵌合する形状であればよく、例えば、貫通の長孔形状であってもよい。
【００５３】
本発明の換気装置において、換気装置本体に取り付けられる換気ルーバーは、前面開口を有するルーバー枠と、このルーバー枠の下部に軸支されてルーバー枠の前面を被覆する可動ルーバーとから構成される。複雑な駆動構造を必要としないため、簡単な構造によって可動ルーバーを開閉することができる。且つ、下部から、操作ロッドを介して、高いところに配置されるルーバーを開閉することができるため、送風機を内設する本体枠前面に取り付けられて開閉動作が可能である化粧パネルを有するあらゆる換気装置に適用する。
【００５４】
さらに、図１及び図５に示すように、可動ルーバー１５の内面である風洞部６側には断熱材３５を配置し、その材質が断熱スポンジであってもよい。換気装置本体５が動作して室外２の冷気を吸い込む場合、冷気は断熱材３５に直接に吹き、可動ルーバー１５の内面に吹くことはない。冷気の温度が断熱材３５によって遮断されるため、可動ルーバー１５と室内１との温度差は小さくなる。室内１の空気は可動ルーバー１５の外面５４に接触した場合においても、室内１の空気が冷えることによる結露水を形成することはない。
【００５５】
可動ルーバー１５の上辺外枠及び左右両側外枠の縁には、内突筋５１と外突筋５２のような二重突筋構造が配置され、前記二重突筋の間には空隙５５を有する。換気装置本体５が運転する場合、冷気は風洞部６に沿って流入し、可動ルーバー１５の断熱材３５に吹いてから外周上方および左右方向へ拡散し、二重突筋構造を通り、二重突筋の内突筋５１に吹いたらその温度が低下する。このように、室内１の空気は、二重突筋の内突筋５１と外突筋５２との間の空隙５５内において結露水を発生させる。しかしながら、空隙５５に、内突筋５１と外突筋５２とを接続する凸筋５６を設けることにより、内突筋５１及び外突筋５２と凸筋５６との間に蓄水溝を形成する。空隙５５に凝結した結露水は蓄水溝に蓄えられた。水量が大きくないため、最終的には容易に蒸発する。且つ、室外２の冷気は断熱材３５に接触してから、外周上方および左右方向へ流れて内突筋５１に接触し、その後に室内１に流れる。このとき、冷気の温度は空隙５５によって外突筋５２に伝達しないため、外突筋５２の温度低下によって外突筋５２の外面に結露水が形成することを防止する作用を奏する。
【００５６】
さらに、図１、図１１及び図１２に示すように、前記換気装置本体５にはろ過網ブラケット１４１が設けられる。該ろ過網ブラケット１４１は、換気装置本体５の前面開口を覆う形状を形成する。ろ過網ブラケット１４１の一方側には係合シート１４５が設けられ、換気装置本体５には、前記ろ過網ブラケット１４１の係合シート１４５を挿入させるための開口１４６が設けられ、ろ過網ブラケット１４１の他方側は、係合構造を介して換気装置本体５に取り付けられる。さらに、前記ルーバー枠１４の内側である風洞部６側には、このろ過網ブラケット１４１と換気装置本体５との間の隙間１４２を被覆する封止スポンジ１４３が設けられる。この封止スポンジ１４３は封止構造である。ろ過網ブラケット１４１が換気装置本体５に係合した後、ろ過網ブラケット１４１と換気装置本体５との間には依然として一定の間隙１４２が存在する。したがって、ルーバー枠１４を換気装置本体５に取り付けて、換気ファンが運転する場合、室内１に吸い込まれた冷気はこの間隙１４２を介してルーバー枠１４内に吹き込まれ、ルーバー枠１４の上側辺及び左右側辺に結露水を形成させる。ルーバー枠１４の内側に封止スポンジ１４３が設けられることにより、図示のように、換気ルーバー１３が換気装置本体５に取り付けられる場合、ルーバー枠１４内側の封止スポンジ１４３は、ろ過網ブラケット１４１と換気装置本体５との間の隙間１４２に重なる。即ち、封止スポンジ１４３によって隙間１４２を被覆する。封止スポンジ１４３は変形する。この封止スポンジ１４３が防風、遮熱の作用を有するため、ここでは結露水は発生しない。このように、封止スポンジ１４３はろ過網ブラケット１４１と換気装置本体５との間の隙間１４２を被覆し、封止作用を奏し、ルーバー枠１４における結露水の形成を防止することができる。
【００５７】
さらに、図１１と図１２に示すように、前記換気装置本体５には導風構造１４４が設けられる。この導風構造１４４は、前記換気装置本体５と前記ろ過網ブラケット１４１とが係合する係合箇所に位置する。この導風構造１４４は、換気装置本体５における前記ろ過網ブラケット１４１の係合シート１４５を挿入させるための開口１４６から、風洞部６側に向かって延設して形成される通路である。この導風構造１４４により、冷気は導風構造１４４に沿って、換気装置本体５に覆われた壁に吹く。
【００５８】
前述の通り、ルーバー枠１４内側には、ろ過網ブラケット１４１と換気装置本体５との間の隙間１４２を被覆する封止スポンジ１４３が配置されたにもかかわらず、封止が緻密ではないので、風は、換気装置本体５に設けられる前記ろ過網ブラケット１４１の係合シート１４５を挿入させるための開口１４６を通過し、側辺において漏れる可能性がある。したがって、冷気はルーバー枠１４の側辺に直接に吹き、ルーバー枠１４の側辺に結露水を発生させる可能性がある。側辺の風漏れによるルーバー枠１４側辺の結露水形成を防止するために、導風構造１４４を配置することにより、冷気は換気装置本体５の前記ろ過網ブラケット１４１の係合シート１４５を挿入させるための開口１４６を通過してから、風洞部６側に向かって延設して形成される通路に沿って主体内部に吹き戻る。つまり、冷気は導風構造１４４に沿って換気装置本体５に覆われた壁に吹くことにより、即ち換気装置本体５と壁との空間内に吹くことにより、ルーバー枠１４側辺の結露水形成を防止することができる。
【符号の説明】
【００５９】
１…室内
２…室外
３…壁
４…貫通孔
５…換気装置本体
６…風洞部
７…フランジ部
８…モータ支持部
９…モータ
１０…モータ軸
１１…ファンブレード
１２…突起部
１３…換気ルーバー
１４…ルーバー枠
１５…可動ルーバー
１６…上部側壁
１７…下部側壁
１８…ルーバー枠開口部
１９…可動ルーバー軸
２０…爪
Ｗ１…重心位置
２１，２１’…接続部品
２２…接続突起
２３…操作ロッドガイド溝
２４…接続部品支持部
２５…操作ロッド
２６，２６’ …操作ロッド突起
２７…上部突起部
２８…下部突起部
２９…接続部品蓋
３０…スリット
３１ａ…回動ガイド板
３１ｂ…回動ガイド板
３２…回動ガイド溝
３３…上部ガイド溝
３４…下部ガイド溝
３５…断熱材
３６…開口部縁
４２…溝
４３…突片
５１…内突筋
５２…外突筋
５４…外面
５５…空隙
５６…凸筋
１４１…ろ過網ブラケット
１４２…間隙
１４３…封止スポンジ
１４４…導風構造
１４５…係合シート
１４６…開口
【図１】
2014522955.tif 000003
【図２】
2014522955.tif 000004
【図３】
2014522955.tif 000005
【図４】
2014522955.tif 000006
【図５】
2014522955.tif 000007
【図６】
2014522955.tif 000008
【図７】
2014522955.tif 000009
【図８】
2014522955.tif 000010
【図９】
2014522955.tif 000011
【図１０（ａ）】
2014522955.tif 000012
【図１０（ｂ）】
2014522955.tif 000013
【図１１】
2014522955.tif 000014
【図１２】
2014522955.tif 000015
【図１３】
2014522955.tif 000016
【図１４】
2014522955.tif 000017
【国際調査報告】
2014522955.tif 000018
2014522955.tif 000019
2014522955.tif 000020
2014522955.tif 000021
2014522955.tif 000022
2014522955.tif 000023